(57)【特許請求の範囲】
【請求項１】
被検者に視機能検査用の視標チャートを提示する視標提示装置と、前記被検者に検眼窓にセットされた光学素子を通じて前記視標チャートを視認させるための検眼器と、
前記検眼窓にセットされている光学素子の光学特性の各パラメータに対応する光学特性データを表示する主表示領域と該主表示領域に表示されている光学特性データと対比可能な光学特性データを表示する参照表示領域とが並べて表示可能な表示画面を有するモニタと、
前記主表示領域の光学特性データと前記参照表示領域の光学特性データとが入れ替えられて前記表示画面に表示されるようにかつ前記主表示領域に今まで表示されていた光学特性データに対応する光学素子を前記検眼窓から退避させると共に新たに前記主表示領域に表示された光学特性データに対応する光学素子が前記検眼器の前記検眼窓にセットされるように入れ替え制御を実行する演算制御回路部と、
複数種類の光学特性データを記憶する記憶部と、
前記参照表示領域に表示されている光学特性データと前記主表示領域に表示されている光学特性データとの表示入れ替えを実行する入れ替え実行領域とを備え、
該入れ替え実行領域は、前記表示画面上の参照表示領域を含めてその参照表示領域近傍の領域であることを特徴とする自覚式検眼装置。
【請求項２】
前記参照表示領域は、該参照表示領域に表示されている光学特性データのタイトルを表示するタイトル表示領域と前記光学特性データを表示するデータ表示領域とを有し、前記タイトル表示領域は前記記憶部に記憶されている各光学特性データのタイトルを示す選択リストボタンを表示する表示領域とされ、該選択リストボタンのタイトルの一つを選択すると、選択されたタイトルに対応する光学特性データが前記データ表示領域に表示されることを特徴とする請求項１に記載の自覚式検眼装置。
【請求項３】
前記データ表示領域が前記入れ替え実行領域とされていることを特徴とする請求項２に記載の自覚式検眼装置。
【請求項４】
前記参照表示領域は、前記主表示領域の両脇に少なくとも１個ずつ設けられていることを特徴とする請求項１ないし請求項３のいずれか１項に記載の自覚式検眼装置。
【請求項５】
前記参照表示領域の光学特性データの前記主表示領域への表示の際に、前記参照表示領域の光学特性データの数値と前記検眼器に予め準備されている光学素子の光学特性データとの数値とが不一致のときには、前記演算制御回路部は、当該参照表示領域の光学特性データの数値に最も近い数値に対応する光学特性を有する光学素子を前記検眼窓にセットすると共に、前記主表示領域に当該検眼窓に新たにセットされた光学素子に対応する光学特性データを表示させることを特徴とする請求項１ないし請求項４のいずれか１項に記載の自覚式検眼装置。
【請求項６】
前記記憶部に他の光学検査機器からの測定データが前記光学特性データとして取り込み可能であることを特徴とする請求項１ないし請求項５のいずれか１項に記載の自覚式検眼装置。
【請求項７】
前記測定データの取り込みの際に、前記測定データの数値を確認するための項目を有する選択確認用リストボタンが表示され、該選択確認用リストボタンの項目のいずれかの項目を選択すると、選択された項目に対応する測定データが前記光学特性データとして前記参照表示領域に表示されることを特徴とする請求項６に記載の自覚式検眼装置。
【発明の詳細な説明】
【技術分野】
【０００１】
本発明は、被検者に視機能検査用の視標チャートを提示し、検者の質問に対する被検者の応答に応じて目の検査を行う自覚式検眼装置の改良に関する。
【背景技術】
【０００２】
従来から、視標提示装置に視標チャートを提示し、被検者にフォロプタ装置等の検眼器の検眼窓を通じて視標チャートを目視させ、検者の質問に対する被検者の応答に応じて目の検査を行う自覚式検眼装置が知られている（例えば、特許文献１参照。）。
【０００３】
その視標提示装置とその検眼器とは、コントローラ装置によって制御される。そのコントローラ装置は、演算制御回路部を有する操作本体部と表示画面を有するモニタ部とから大略構成されている。
【０００４】
そのモニタ部の表示画面には、その検眼器の検眼窓にセットされている光学素子の光学特性の各パラメータ（例えば、球面度数、乱視度数）を光学特性データとして表示する主表示領域と、その主表示領域に表示されている光学特性データ（例えば、自覚データ）と対比可能な光学特性データ（例えば、メガネ処方値）を参照データとして表示する参照表示領域とが提示可能とされている。
【０００５】
この従来の自覚式検眼装置では、その主表示領域に表示される光学特性データの種類（例えば、自覚データ、他覚データ、メガネ処方値）を入れ替え可能とされている。この自覚式検眼装置では、例えば、表示画面に光学特性データ入れ替え用の選択リストボタンが表示可能とされている。その選択リストボタンは、自覚検査に用いる光学特性データの種類を意味する複数のタイトルからなる。
【０００６】
検者が表示画面に表示されているその選択リストボタンのタイトルの中からタイトルの一つをマウス操作により選択すると、その操作により選択された光学特性データが主表示領域に表示される。
【０００７】
なお、参照表示領域に表示されている光学特性データの種類を入れ替え可能な構成としたものも知られている。
【０００８】
演算制御回路部は、主表示領域に表示されている光学特性データから新たな光学特性データへと切り替え指令が与えられると、新たな光学特性データを主表示領域に表示させる処理を行う一方、主表示領域に今まで表示されていた光学特性データを参照表示領域に表示させる処理を行うと共に、検眼器の検眼窓に、新たに主表示領域に表示された光学特性データの光学素子をセットする処理を実行するようになっている。
【先行技術文献】
【特許文献】
【０００９】
【特許文献１】特開２００８−２４５６７３号公報（図４参照）
【発明の概要】
【発明が解決しようとする課題】
【００１０】
ところで、その従来の自覚式検眼装置では、既述したように主表示領域に表示される光学特性データを参照表示領域に表示されている種類の光学特性データへと切り替えが可能である。
【００１１】
このため、参照表示領域に表示されている種類の光学特性データへと主表示領域に表示される光学特性データを切り替える際に、その選択リストボタンの中から参照表示領域に表示されていない種類の光学特性データを誤って選択した場合、その誤って選択された種類の光学特性データが主表示領域に表示され、これまで主表示領域に表示されていた光学特性データが参照表示領域に表示されると共に、これまで、参照表示領域に表示されていた光学特性データが非表示となる。
【００１２】
従って、選択リストボタンの中のタイトルを誤って選択した場合に、本来、主表示領域に入れ替えて自覚検査を実行したい光学特性データを探して主表示領域に表示させるのに手間取るという不都合がある。
【００１３】
また、自覚検査の実行中に、参照表示領域に表示されている種類の光学特性データと主表示領域に表示されている光学特性データとを入れ替えて自覚検査を実行したいときに、選択リストボタン又は操作ボタンを見ながら操作するという動作を行わなければならないため、参照表示領域に表示されている光学特性データと主表示領域に表示されている光学特性データとを見て比較しながら入れ替え作業を行うことができず、入れ替えたい光学特性データを誤って選択するという不都合もある。
【００１４】
本発明は、上記の事情に鑑みて為されたもので、その目的は、モニタの表示画面の参照表示領域に表示されている光学特性データと主表示領域に表示されている光学特性データとの入れ替え操作の確実化を図り、検査効率の向上を図ることのできる自覚式検眼装置を提供することにある。
【課題を解決するための手段】
【００１５】
本発明に係る自覚式検眼装置は、
被検者に視機能検査用の視標チャートを提示する視標提示装置と、前記被検者に検眼窓にセットされた光学素子を通じて前記視標チャートを視認させるための検眼器と、
前記検眼窓にセットされている光学素子の光学特性の各パラメータに対応する光学特性データを表示する主表示領域と該主表示領域に表示されている光学特性データと対比可能な光学特性データを表示する参照表示領域とが並べて表示可能な表示画面を有するモニタと、
前記主表示領域の光学特性データと前記参照表示領域の光学特性データとが入れ替えられて前記表示画面に表示されるようにかつ前記主表示領域に今まで表示されていた光学特性データに対応する光学素子を前記検眼窓から退避させると共に新たに前記主表示領域に表示された光学特性データに対応する光学素子が前記検眼器の前記検眼窓にセットされるように入れ替え制御を実行する演算制御回路部と、
複数種類の光学特性データを記憶する記憶部と、
前記参照表示領域に表示されている光学特性データと前記主表示領域に表示されている光学特性データとの表示入れ替えを実行する入れ替え実行領域とを備え、
該入れ替え実行領域は、前記表示画面上の参照表示領域を含めてその参照表示領域近傍の領域であることを特徴とする。
【００１６】
前記参照表示領域は、該参照表示領域に表示されている光学特性データのタイトルを表示するタイトル表示領域と前記光学特性データを表示するデータ表示領域とを有し、前記タイトル表示領域は前記記憶部に記憶されている各光学特性データのタイトルを示す選択リストボタンを表示する表示領域とされ、該選択リストボタンのタイトルの一つを選択すると、選択されたタイトルに対応する光学特性データが前記データ表示領域に表示されることを特徴とする。
【００１７】
前記データ表示領域が前記入れ替え実行領域とされていることを特徴とする。
前記参照表示領域は、前記主表示領域の両脇に少なくとも１個ずつ設けられていることを特徴とする。
【００１８】
前記参照表示領域の光学特性データの前記主表示領域への表示の際に、前記参照表示領域の光学特性データの数値と前記検眼器に予め準備されている光学素子の光学特性データとの数値とが不一致のときには、前記演算制御回路部は、当該参照表示領域の光学特性データの数値に最も近い数値に対応する光学特性を有する光学素子を前記検眼窓にセットすると共に、前記主表示領域に当該検眼窓に新たにセットされた光学素子に対応する光学特性データを表示させることを特徴とする。
【００１９】
前記記憶部に他の光学検査機器からの測定データが前記光学特性データとして取り込み可能であることを特徴とする。
前記測定データの取り込みの際に、前記測定データの数値を確認するための項目を有する選択確認用リストボタンが表示され、該選択確認用リストボタンの項目のいずれかの項目を選択すると、選択された項目に対応する測定データが前記光学特性データとして前記参照表示領域に表示されることを特徴とする。
【発明の効果】
【００２０】
本発明によれば、参照表示領域を含めてその表示領域近傍が参照表示領域に表示されている光学特性データと主表示領域に表示されている光学特性データとの表示入れ替えを実行する入れ替え実行領域とされているので、表示画面に表示されている光学特性データを見ながら自覚検査に用いる光学特性データの入れ替え操作を行うことができる。
【００２１】
従って、光学特性データの入れ替え前、入れ替え後に両光学特性データの対比可能であり、モニタの表示画面の参照表示領域に表示されている光学特性データと主表示領域に表示されている光学特性データとの入れ替え操作の確実化を図り、検査効率の向上を図ることができるという効果を奏する。
【図面の簡単な説明】
【００２２】
【図１】図１は本発明に係る自覚式検眼装置を概略的に示す斜視図である。
【図２】図２は本発明に係るパーソナルコンピュータを概略的に示す正面図である。
【図３】図３は本発明に係る自覚式検眼装置の回路構成を概略的に示すブロック図である。
【図４】図４は本発明に係る自覚検査の表示画面に表示されている主表示領域と参照表示領域とを示す説明図である。
【図５】図５は図４に示すタイトル表示領域の操作により表示された選択リストボタンの一例を示す説明図である。
【図６】図６は図４に示すデータ表示領域の操作の一例を示す説明図である。
【図７】図７は図６に示す操作により参照表示領域に表示の光学特性データと主表示領域に表示の光学特性データとが入れ替えられた状態を示す説明図である。
【図８】図８は参照表示領域への測定データの取り込みの一例を示す説明図である。
【発明を実施するための形態】
【実施例】
【００２３】
（自覚式検眼装置１の概略構成）
本発明に係る自覚式検眼装置１は、図１に示すように、被検者２の被検眼に提示する各種の視機能検査用の視標チャート３aを表示する視標提示装置３と、被検眼の視機能を矯正するための矯正装置（検眼器、フォロプタ装置）４とコントローラ装置５とを備える。
【００２４】
この自覚式検眼装置１は、従来からよく知られているように、図示を略す眼鏡を作成する際にこの眼鏡のレンズの屈折度数を定めるために用いられている。
各種の視標チャート３aは、その視標提示装置３の表示画面３ｂに表示される。その視標チャート３aは、コントローラ装置５の操作本体部６を操作することにより決定される。
【００２５】
被検者２と視標提示装置３との間には、検眼テーブル７が配置されている。検眼テーブル７には、この検眼テーブル７からその上方へ伸びる支柱８が設けられている。支柱８の上部には横方向に伸びるアーム９が設けられている。矯正装置４はこのアーム９に取り付けられている。
【００２６】
矯正装置４は、左右方向に並べて配置された一対のフォロプタ１０を備える。各フォロプタ１０は、それぞれ検眼窓１１aが形成されたハウジング１１を備えている。各ハウジング１１の内部には、従来と同様に、環状のレンズディスク（図示を略す）が回転可能に収納されている。
【００２７】
このレンズディスクには、互いに屈折力の異なる複数の光学素子であるレンズが周方向に沿って設けられている。その各レンズは、コントローラ装置５の制御によりレンズディスクの回転により各検眼窓１１aに選択的にセットされる。
被検者２は、その一対のフォロプタ１０の検眼窓１１a、１１aにセットされた光学素子を通じて視標チャート３aを視認するものである。
【００２８】
そのコントローラ装置５は、検眼テーブル７に載置されている。このコントローラ装置５は、例えば、図２に拡大して示すように、パーソナルコンピュータが用いられ、このコントローラ装置５は、図３に示すように、既述の操作本体部６とモニタ部１２と演算制御回路部１５と記憶部１６とから概略構成されている。操作本体部６は、例えば、操作盤６aとマウス６ｂとから概略構成される。
【００２９】
この記憶部１６には、表示画面１２a上で操作盤６aの手動操作により入力された光学特性のパラメータを光学特性データとして表示させ、この表示画面１２a上で入力された光学特性データを記憶させることが可能であるが、コントローラ装置５に、図３に示すように、光学検査機器としてのレンズメータCL、他覚検査装置RM等の他の光学検査機器を接続し、これらの他の光学検査機器からの測定データも光学特性データとして取り込み可能である。
【００３０】
その測定データには、被検者の眼の光学特性データ、眼鏡レンズの光学特性データに加えて、例えば、機器ID、被検者ID、被検者の氏名、データ番号、測定時刻等の項目も含まれている。
【００３１】
この他覚検査装置RM、レンズメータCLからの測定データの取り込みは、他覚検査装置RM、レンズメータCLがコントローラ装置５に接続されると自動的に記憶部１６の空き領域に取り込んで、この記憶部１６に記憶させるようにしても良い。
また、操作盤６aの取り込みボタン（図示を略す）を手動操作することにより、記憶部１６の空き領域に記憶させるようにしても良い。
【００３２】
演算制御回路部１５は、操作本体部６の操作指令に基づき、矯正装置４を制御する機能と、視標提示装置３とモニタ部１２とを制御する機能とを有する。
そのモニタ部１２の表示画面１２aには、検者１４の操作によって各種の画像、光学特性データ、操作情報等が表示可能であるが、本発明に係わる部分の内容についてのみ、以下に説明することにし、その他の内容については、詳細な説明を省略する。
【００３３】
（表示画面１２aの表示の詳細と演算制御回路部１５の機能）
表示画面１２aには、図４に示すように、主表示領域１７と、参照表示領域１８、１９とが表示可能とされている。その主表示領域１７は、表示画面１２aの上部中央に設けられ、参照表示領域１８、１９はその主表示領域１７の両脇に並べて１個ずつ設けられている。
【００３４】
主表示領域１７は、検眼窓１１a、１１aにセットされている光学素子としてのレンズの球面度数、乱視度数及び軸角度等の光学特性である屈折力に対応する光学特性データを表示する領域である。
【００３５】
その主表示領域１７には、ここでは、レンズの屈折力のうち球面度数、乱視度数、軸角度及び加入の各項目が表示され、被検者２の右眼と左眼とに対応して、現在、検眼窓１１a、１１aにセットされている光学特性データの数値が各項目毎に表示されている。
【００３６】
演算制御回路部１５は、この主表示領域１７に表示されている光学特性データに対応する光学特性を有する光学素子が検眼窓１１a、１１aにセットされるように矯正装置４を制御するものである。
自覚検査は、その主表示領域１７に表示されている光学特性データに対応する光学特性を有するレンズを用いて行われる。
【００３７】
参照表示領域１８、１９は、主表示領域１７に表示されている光学特性データと対比可能な光学特性データを表示する領域であり、検者１４の自覚検査作業の便宜のために設けられている領域である。
【００３８】
この参照表示領域１８、１９は、参照表示領域１８、１９に表示されている光学特性データのタイトルを表示するタイトル表示領域１８a、１９aと光学特性データの数値を表示するデータ表示領域１８ｂ、１９ｂと自覚セット領域１８ｃ、１９ｃとを有する。
【００３９】
演算制御回路部１５は、主表示領域１７に表示されている光学特性データと、参照表示領域１８、１９に表示されている光学特性データとの入れ替え制御を実行する機能も有する。
【００４０】
記憶部１６には、３種以上の光学特性データを記憶可能であり、ここでは、主表示領域１７に表示されている光学特性データと、参照表示領域１８、１９に表示されている光学特性データと、表示画面１２aに表示されていない光学特性データとの少なくとも４種以上の光学特性データを記憶可能とされている。
【００４１】
演算制御回路部１５は、図４に示すように、マウス６ｂを操作してポインタ６ｃを例えばそのタイトル表示領域１８aに位置させ、マウス６ｂをクリックすると、図５に示すように、表示画面１２aに記憶部１６に記憶されている各光学特性データのタイトルを示す選択リストボタン１８ｄが表示されるようにモニタ部１２を制御する。
【００４２】
ついで、演算制御回路部１５は、そのリスト中のタイトルの一つを選択すると、選択されたタイトルの光学特性データが参照表示領域１８に表示されるように、モニタ部１２を制御する。
【００４３】
例えば、マウス６ｂを操作してポインタ６ｃを図５に示す選択リストボタン１８ｄの中の「前回処方」の項目に位置させ、マウス６ｂをクリックして、この項目を選択すると、「前回処方」のタイトルがタイトル表示領域１８aに表示され、この「前回処方」に対応する光学特性データがデータ表示領域１８ｂに表示される。
【００４４】
同様に、ポインタ６ｃをタイトル表示領域１９aに位置させて、選択リストボタン１８ｄを表示させ、この選択リストボタン１８ｄの中から「前回処方」の項目を選択すると、「前回処方」のタイトルとこの「前回処方」に対応する光学特性データとが参照表示領域１９に表示される。
【００４５】
なお、その図４では、データ表示領域１８ｂには、ここでは、被検者２の右眼と左眼とに対応して、他覚検査装置RMから取り込まれた測定データの各数値が各項目毎に表示され、データ表示領域１９ｂには、ここでは、被検者２が装用している右眼と左眼との眼鏡レンズ（図示を略す）について、レンズメータCLにより取り込まれた測定データの各数値が各項目毎に表示されている。
【００４６】
また、この演算制御回路部１５は、図６に示すように、マウス６ｂを操作してポインタ６ｃをそのデータ表示領域１８ｂに位置させ、マウス６ｂをクリックすると、主表示領域１７に表示の光学特性データと参照表示領域１８に表示の光学特性データとが入れ替えられて表示画面１２aに表示されるように、かつ、主表示領域１７に今まで表示されていた光学特性データに対応する光学素子を検眼窓１１a、１１aから退避させると共に新たに主表示領域１７に表示された光学特性データに対応する光学素子が検眼窓１１a、１１aにセットされるように入れ替え制御を実行する。
【００４７】
図７は今まで参照表示領域１８に表示されていた光学特性データが主表示領域１７に表示され、今まで主表示領域１７に表示されていた光学特性データが参照表示領域１８に表示された状態を示している。
【００４８】
ポインタ６ｃを参照表示領域１９のデータ表示領域１９ｂに位置させて、同様の操作を実行すると、参照表示領域１９に表示されていた光学特性データが主表示領域１７に表示され、今まで主表示領域１７に表示されていた光学特性データが参照表示領域１９に表示される。
【００４９】
ここでは、データ表示領域１８ｂ、１９ｂが主表示領域１７に表示の光学特性データと参照表示領域１８、１９に表示の光学特性データとの入れ替えを実行する入れ替え実行指示手段としての入れ替え実行領域とされているが、参照表示領域１８、１９を含めてその表示領域近傍を、主表示領域１７に表示の光学特性データと参照表示領域１８、１９に表示の光学特性データとの入れ替えを実行する入れ替え実行領域としても良い。
【００５０】
この演算制御回路部１５は、参照表示領域１８、１９の光学特性データの主表示領域１７への表示の際に、参照表示領域１８、１９のデータ表示領域１８ｂ、１９ｂの光学特性データの数値と矯正装置４に予め準備されている光学素子の光学特性データの数値とが不一致のときには、参照表示領域１８、１９のデータ表示領域１８ｂ、１９ｂに表示されている数値に最も近い数値に対応する光学特性を有する光学素子が検眼窓１１a、１１aにセットされるように矯正装置４を制御すると共に、この検眼窓１１a、１１aに新たにセットされた光学素子に対応する光学特性データが表示画面１２aの主表示領域１７に表示されるようにモニタ部１２を制御する。
【００５１】
図７においては、図６のデータ表示領域１８ｂに表示されている光学特性測定データのうち、左眼の球面度数の数値「−０．１９」が矯正装置４に予め準備されている光学素子の光学特性データの球面度数の数値「−０．２５」に変更され、図６のデータ表示領域１８ｂに表示されている光学特性測定データのうち、左眼の乱視度数の数値「−１．２０」が矯正装置４に予め準備されている光学素子の光学特性データの乱視度数の数値「−１．２５」に変更され、図６のデータ表示領域１８ｂに表示されている光学特性測定データのうち、右眼の乱視度数の数値「−１．３０」が矯正装置４に予め準備されている光学素子の光学特性データの乱視度数の数値「−１．２５」に変更されて、それぞれ、主表示領域１７に表示されている。
【００５２】
表示画面１２aには、その下部に、視標提示装置３の表示画面３ｂに提示可能な視標チャート３aを示す複数の視標チャート画像の一覧を表示する一覧表示領域２０等が設けられている。
演算制御回路部１５は、その一覧表示領域２０等が操作されると、この操作に対応する処理を実行し、この操作に対応する視標チャート３aが表示画面３ｂに表示される。
【００５３】
（自覚式検眼装置１への光学検査機器RM、CL等からの参照表示領域１８、１９への光学特性データの取り込み手順）
記憶部１６に記憶されている光学特性データの参照表示領域１８、１９への取り込みは、以下に説明する手順により行われる。
【００５４】
マウス６ｂを操作して、図８に示すように、ポインタ６ｃを自覚セット領域１８ｃ、１９ｃに位置させ、マウス６ｂがクリックされると、演算制御回路部１５は、記憶部１６から機器ID、被検者ID、被検者の氏名、データ番号、測定時刻等の情報を読み出して、これらの情報を含む選択確認用リストボタン２１を表示画面１２aの下部に表示させる制御を実行する。
【００５５】
ついで、マウス６ｂを操作して、その選択確認用リストボタン２１の項目の一つにポインタ６ｃを位置させ、マウス６ｂをクリックすると、その指定された項目に対応する測定データとタイトルとが参照表示領域１８、１９にセットされる。
ついで、マウス６ｂを操作して、データ表示領域１８ｂ、１９ｂにポインタ６ｃを位置させ、マウス６ｂをクリックすると、主表示領域１７に光学特性データがセットされる。
【００５６】
この実施例によれば、参照表示領域１８、１９を含めてその表示領域近傍が参照表示領域１８、１９に表示されている光学特性データと主表示領域１７に表示されている光学特性データとの表示入れ替えを実行する入れ替え実行領域とされているので、表示画面１２aに表示されている光学特性データを見ながら自覚検査データの入れ替え操作を行うことができることになり、光学特性データの入れ替え前、入れ替え後に両光学特性データの対比可能である。
【００５７】
従って、モニタ部１２の表示画面１２aの参照表示領域１８、１９に表示されている光学特性データと主表示領域１７に表示されている光学特性データとの入れ替え操作の確実化を図り、検査効率の向上を図ることができるという効果を奏する。
【００５８】
特に、この実施例によれば、参照表示領域１８、１９をタイトル表示領域１８a、１９aとデータ表示領域１８ｂ、１９ｂとから構成し、タイトル表示領域１８a、１９aを指定して選択リストボタン１８ｄを表示画面１２aに表示させ、その選択リストボタン１８ｄの中から自覚検査に用いたいタイトルに対応する光学特性データを選択した場合、その選択されたタイトルとこれに対応する光学特性データとを参照表示領域１８、１９に前もって表示させるようにしたから、検者１４はこの参照表示領域１８、１９をプレビューすることができ、誤操作の有無を事前に確認できる。
【００５９】
また、この実施例によれば、機器ID、被検者ID、被検者の氏名、データ番号、測定時刻等の情報を確認しながら、参照表示領域１８、１９に自覚検査に用いる光学特性データを表示させることができるので、光学特性データの内容を自覚検査実行前に確認でき、取り込みミスを軽減できる。
【００６０】
この実施例では、入れ替え実行指示手段を、表示画面上の参照表示領域を含めてその参照表示領域近傍の入れ替え実行領域としたが、これに限るものではなく、例えば、操作盤６aに入れ替え実行指示用の操作ボタンを設け、この操作ボタンにより入れ替えを実行する構成とすることもできる。
【符号の説明】
【００６１】
３…視標提示装置
４…矯正装置（検眼器）
１１a…検眼窓
１２…モニタ部
１２a…表示画面
１７…主表示領域
１８、１９…参照表示領域
【図１】
0005700799.tif 000002
【図２】
0005700799.tif 000003
【図３】
0005700799.tif 000004
【図４】
0005700799.tif 000005
【図５】
0005700799.tif 000006
【図６】
0005700799.tif 000007
【図７】
0005700799.tif 000008
【図８】
0005700799.tif 000009